(57)【特許請求の範囲】
【請求項１】
紙製又はプラスチック製の鏡餅用載置台であって、鏡餅容器が載置される載置部と、この載置部の前方に位置する前方壁部と、前記載置部の後方に位置する後方壁部と、前記載置部の左右に位置し前記前方壁部と前記後方壁部を接続する２つの側方壁部とを備え、前記側方壁部の上端は、前記前方壁部の上端から前記後方壁部の上端に向けて斜めにせり上がっており、前記載置部は、高さ方向において前記前方壁部の下端と一致し、又は下端と上端の間であって上端よりも下方に位置するとともに、前記載置部と前記前方壁部の間に隙間が形成されており、前記側方壁部には、前記側方壁部の上端から内側に折り込まれた折り込み部が連設され、前記折り込み部には、折線を介して前記載置部が連設され、前記折り込み部を前記側方壁部の内側に折り込む前において、前記載置部と前記前方壁部は面一になっていることを特徴とする鏡餅用載置台。
【請求項２】
１枚の紙製又はプラスチック製の板からなり、前記側方壁部の上端の少なくとも一部は、前記板を内側に折り込むことで形成され前記載置部に対して略４５度の角度を有することを特徴とする請求項１記載の鏡餅用載置台。
【請求項３】
前記折り込み部の一部により前記鏡餅容器のフランジ部を固定する固定部が形成されたことを特徴とする請求項１又は２記載の鏡餅用載置台。
【請求項４】
前記後方壁部に壁掛け用の穴が形成されたことを特徴とする請求項１〜３のいずれか１項記載の鏡餅用載置台。
【請求項５】
壁掛けされた際に前記後方壁部を壁に押し付けるための押し付け部を備え、前記押し付け部は蛇腹状の構造を有するとともに、前記押し付け部の端部は壁掛け用の釘状体の頭部に当接するように形成されたことを特徴とする請求項４記載の鏡餅用載置台。
【請求項６】
前記後方壁部の上方に突出した半円状部分が設けられ、前記半円状部分に扇を装った印刷がなされたことを特徴とする請求項１〜５のいずれか１項記載の鏡餅用載置台。
【発明の詳細な説明】
【技術分野】
【０００１】
本発明は、鏡餅を載置して飾るための鏡餅用載置台に関する。
【背景技術】
【０００２】
現在市販されている鏡餅は、鏡餅の形態を有するプラスチック容器の中に餅を入れたものが主流となっており、鏡餅の形態を有するプラスチック容器の中に直接餅を充填したタイプのものと、鏡餅の形態を有するプラスチック容器の中に個別包装された切餅又は丸餅を入れたタイプのものが知られている。そして、どちらのタイプの鏡餅においても、鏡餅の形態を有するプラスチック容器の最下部に円形又は方形のフランジ部が設けられ、そのフランジ部にプラスチックフィルムが熱溶着されることにより、プラスチック容器の中に餅が保持されるようになっている。
【０００３】
このような鏡餅としては、飾りが付属した飾り付き鏡餅が一般的に市販されている。この飾り付き鏡餅としては、三方が付属したものと、三方ではない紙製の載置台が付属したものの２種類が知られている。
【０００４】
ここで、餅を保持するために形成されたプラスチック容器のフランジ部は、決して見栄えが良いものではないが、三方が付属したものは、鏡餅の形態を有するプラスチック容器のフランジ部を三方の皿の縁部の立ち上がりにより隠すことができるため、見栄えの良くないプラスチック容器のフランジ部が見えてしまうという問題は生じにくい。
【０００５】
ところが、三方ではない載置台が付属した鏡餅では、鏡餅の見栄えをよくするために、別途プラスチック容器のフランジ部を隠すための構造を付加する必要があった。このような構造を付加したものとしては、鏡餅容器の最大径より大きい穴が開いた紙をフランジ部に被せるようにしたものが知られている（例えば、特許文献１、２）。しかし、このような構造を付加したものは、見栄えを良くするために複雑に紙を折り込んで載置台を組み立てる必要があり、組み立て作業に多くの時間がかかり、その分、製造コストがかかるという問題があった。
【先行技術文献】
【特許文献】
【０００６】
【特許文献１】特開２００５−５８５８９号公報
【特許文献２】特開２００５−２１５１５号公報
【発明の概要】
【発明が解決しようとする課題】
【０００７】
そこで本発明は、上記の欠点を克服し、鏡餅容器のフランジ部が見えにくく、製造コストを削減することのできる、新規の鏡餅用載置台を提供することを目的とする。
【課題を解決するための手段】
【０００８】
本発明の鏡餅用載置台は、紙製又はプラスチック製の鏡餅用載置台であって、鏡餅容器が載置される載置部と、この載置部の前方に位置する前方壁部と、前記載置部の後方に位置する後方壁部と、前記載置部の左右に位置し前記前方壁部と前記後方壁部を接続する２つの側方壁部とを備え、前記側方壁部の上端は、前記前方壁部の上端から前記後方壁部の上端に向けて斜めにせり上がっており、前記載置部は、高さ方向において前記前方壁部の下端と一致し、又は下端と上端の間であって上端よりも下方に位置するとともに、前記載置部と前記前方壁部の間に隙間が形成されており、前記側方壁部には、前記側方壁部の上端から内側に折り込まれた折り込み部が連設され、前記折り込み部には、折線を介して前記載置部が連設され、前記折り込み部を前記側方壁部の内側に折り込む前において、前記載置部と前記前方壁部は面一になっていることを特徴とする。
【０００９】
また、１枚の紙製又はプラスチック製の板からなり、前記側方壁部の上端の少なくとも一部は、前記板を内側に折り込むことで形成され前記載置部に対して略４５度の角度を有することを特徴とする。
【００１０】
また、前記折り込み部の一部により前記鏡餅容器のフランジ部を固定する固定部が形成されたことを特徴とする。
【００１１】
また、前記後方壁部に壁掛け用の穴が形成されたことを特徴とする。
【００１２】
また、壁掛けされた際に前記後方壁部を壁に押し付けるための押し付け部を備え、前記押し付け部は蛇腹状の構造を有するとともに、前記押し付け部の端部は壁掛け用の釘状体の頭部に当接するように形成されたことを特徴とする。
【００１３】
さらに、前記後方壁部の上方に突出した半円状部分が設けられ、前記半円状部分に扇を装った印刷がなされたことを特徴とする。
【発明の効果】
【００１４】
本発明の鏡餅用載置台によれば、載置部の前方に位置する前方壁部により鏡餅容器の下部が隠されるため、鏡餅容器のフランジ部が見えにくくなり、また、載置部の後方に位置する後方壁部と載置部の左右に位置する側方壁部を屏風とすることができ、さらに、側方壁部の上端が前方壁部の上端から後方壁部の上端に向けて斜めにせり上がっていることにより美観に優れ、その結果、見栄えよく鏡餅を飾ることができる。そして、側方壁部には、側方壁部の上端から内側に折り込まれた折り込み部が連設され、折り込み部には、折線を介して載置部が連設され、折り込み部を側方壁部の内側に折り込む前において、載置部と前方壁部は面一になっていることにより、部品点数と組み立てるための工数が少なく、製造コストを削減することができる。
【００１５】
また、１枚の紙製又はプラスチック製の板からなり、側方壁部の上端の少なくとも一部は、板を内側に折り込むことで形成され載置部に対して略４５度の角度を有するため、部品点数と組み立てるための工数が少なく、さらに紙製又はプラスチック製の板の面積が少なくて済み、製造コストを削減することができる。
【００１６】
また、内側に折り込まれた板の一部により鏡餅容器のフランジ部を固定する固定部が形成されたため、鏡餅容器をしっかりと固定することができ、設定によっては、逆さにした場合においても鏡餅容器が落下することを防止することができる。
【００１７】
また、後方壁部に壁掛け用の穴が形成されたため、壁掛け用の穴に釘状体を通すことにより壁に掛けることができる。
【００１８】
また、壁掛けされた際に後方壁部を壁に押し付けるための押し付け部を備え、押し付け部は蛇腹状の構造を有するとともに、押し付け部の端部は壁掛け用の釘状体の頭部に当接するように形成されたため、後方壁部が壁に押し付けられることによって、壁に掛けた際に前方に傾くことを防止することができる。
【００１９】
さらに、後方壁部の上方に突出した半円状部分が設けられ、半円状部分に扇を装った印刷がなされたため、実際に扇を取り付けなくとも扇が取り付けられたようにすることができ、美観を向上させることができる。
【図面の簡単な説明】
【００２０】
【図１】本発明の鏡餅用載置台の実施例１を示す斜視図である。
【図２】本発明の鏡餅用載置台の実施例１を示す組み立て前の斜視図である。
【図３】本発明の鏡餅用載置台の実施例１を示す鏡餅容器を載置した状態の斜視図である。
【図４】本発明の鏡餅用載置台の実施例１を示す展開図である。
【図５】本発明の鏡餅用載置台の実施例２を示す斜視図である。
【図６】本発明の鏡餅用載置台の実施例３を示す斜視図である。
【図７】本発明の鏡餅用載置台の実施例４を示す斜視図である。
【図８】本発明の鏡餅用載置台の実施例４を示す組み立て前の斜視図である。
【図９】本発明の鏡餅用載置台の実施例５を示す斜視図である。
【図１０】本発明の鏡餅用載置台の実施例６を示す斜視図である。
【図１１】本発明の鏡餅用載置台の実施例６を示す組み立て前の斜視図である。
【発明を実施するための形態】
【００２１】
以下、本発明の鏡餅用載置台の実施例について、添付図面を参照しながら説明する。
【実施例１】
【００２２】
図１〜図４を参照しながら説明すると、本実施例の鏡餅用載置台は、図４に示す１枚の段ボールの板１を折り曲げることにより形成されている。２は、鏡餅容器Ａが載置される載置部であり、載置部２の前方には、鏡餅の下部を隠すための前方壁部３が位置している。また、載置部２の後方には、後方壁部４が位置しており、載置部２の左右には、前方壁部３と後方壁部４を接続する２つの側方壁部５，６が位置している。そして、側方壁部５，６の上端５ａ，６ａは、前方壁部３の上端３ａから後方壁部４の上端４ａに向けて斜めにせり上がっている。
【００２３】
側方壁部５，６の上端５ａ，６ａの一部は、板１を折線51，52に沿って内側に折り込むことで形成されている。また、折線51，52は、載置部２のなす平面に対して略４５度の角度を有している。側方壁部５，６には、折線51，52を介して折り込み部７，８が連設され、折り込み部７，８には、折線53，54を介して載置部２が連設されている。さらに、折り込み部７，８には、折線55，56を介して、鏡餅容器Ａのフランジ部を固定するための固定部９，10が形成されている。載置部２には、板１を折線51，52に沿って内側に折り込む際に必要な３本の折線57，58，59が形成されており、中央の折線57は載置部２を左右に二等分する位置に形成され、残りの２本の折線58，59は、中央の折線57の前端部を起点にして、それぞれ載置部２の左右端に向かって斜め方向に形成されている。
【００２４】
載置部２の後端２ａには、凸部11が形成されており、凸部11は、後方壁部４の下方に形成された差し込み穴12に挿通されている。そして、載置部２は、高さ方向において、前方壁部３の下端３ｂと上端３ａの間に位置している。
【００２５】
後方壁部４の上方には、壁掛け用の穴13が形成されている。また、後方壁部４には、穴13を通る折線60を介して、壁掛けされた際に後方壁部４を壁に押し付けるための押し付け部14が連設されている。なお、押し付け部14は、後方壁部４の折線60の両端から下方に切り込みを入れて、後方壁部４を切欠くことで形成されている。そして、押し付け部14は、穴13を通る折線60で前方に向かって谷折、折線61で山折されることにより、蛇腹状の構造を有している。また、押し付け部14の前端14ａには、壁掛け用の釘状体の頭部Ｃに当接する切欠き部15が形成され、切欠き部15に釘状体の頭部Ｃを引掛けることができるようになっている。
【００２６】
後方壁部４の右端には、折線62を介して接着部16が連設されており、接着部16は右の側方壁部６の後端と接着されている。また、後方壁部４の左端は折線63を介して左の側方壁部５の後端と、側方壁部５の前端は折線64を介して前方壁部３の左端と、前方壁部３の右端は折線65を介し右の側方壁部６の前端とそれぞれ連設している。
【００２７】
つぎに、本実施例の鏡餅用載置台の組み立て方法について説明する。
【００２８】
組み立て前の鏡餅用載置台は、図２に示すように、載置部２と前方壁部３は面一になっており、左の側方壁部５と折り込み部７と固定部９、右の側方壁部６と折り込み部８と固定部10は、それぞれ面一になっている。すなわち、一枚の段ボールの板１を折線62、折線63、折線53，64、折線54，65で折り曲げ、その両端を接着部16で接着した形状になっている。
【００２９】
山折になっている折線53を内側に押し込んで谷折にしながら、折線51，58を山折にし、同時に折線57を谷折にする。これらと同時に、山折になっている折線54を内側に押し込んで谷折にしながら、折線52，59を山折にし、同時に折線57を谷折にする。以上の１回の動作により、載置部２が水平になる。そして、凸部11を差し込み穴12に挿入することにより、載置部２をしっかりと固定することができる。このように、２回のステップのみで簡単に組み立てることができる。
【００３０】
このあと、載置部２に鏡餅容器Ａを載置し、必要に応じ、折線55，56を折り曲げてフランジ部Ｂを固定部９，10により固定する。これにより、載置部２に鏡餅容器Ａをしっかりと固定することができ、設定によっては、逆さにした場合においても鏡餅容器Ａが落下することを防止することができる。
【００３１】
さらに、壁掛けする場合は、折線60，61を折り曲げて押し付け部14の切欠き部15を釘状体の頭部Ｃに引掛ける。押し付け部14は蛇腹に形成されており、折り曲げられた折線60，61がもとに戻ろうとする力により後方壁部４が壁に向けて付勢される。その結果、後方壁部４が壁に押し付けられることによって、壁に掛けた際に前方に傾くことを防止することができる。
【００３２】
以上のように、本実施例の鏡餅用載置台は、紙製の鏡餅用載置台であって、鏡餅容器Ａが載置される載置部２と、この載置部２の前方に位置する前方壁部３と、前記載置部２の後方に位置する後方壁部４と、前記載置部２の左右に位置し前記前方壁部３と前記後方壁部４を接続する２つの側方壁部５，６とを備え、前記側方壁部５，６の上端５ａ，６ａは、前記前方壁部３の上端３ａから前記後方壁部４の上端４ａに向けて斜めにせり上がっており、前記載置部２は、高さ方向において前記前方壁部３の下端３ｂと上端３ａの間に位置する。したがって、載置部２の前方に位置する前方壁部３により鏡餅容器Ａの下部が隠されるため、鏡餅容器Ａのフランジ部Ｂが見えにくくなり、また、載置部２の後方に位置する後方壁部４と載置部２の左右に位置する側方壁部５，６を屏風とすることができ、さらに、側方壁部５，６の上端５ａ，６ａが前方壁部３の上端３ａから後方壁部４の上端４ａに向けて斜めにせり上がっていることにより美観に優れ、その結果、見栄えよく鏡餅を飾ることができる。また、載置部２は、高さ方向において前方壁部３の下端３ｂと上端３ａの間に位置するため、上げ底構造にして見栄えをよくすることができる。
【００３３】
また、１枚の紙製の板１からなり、前記側方壁部５，６の上端５ａ，６ａの一部は、前記板１を内側に折り込むことで形成され前記載置部２に対して略４５度の角度を有するため、部品点数と組み立てるための工数が少なく、さらに紙製の板１の面積が少なくて済み、製造コストを削減することができる。
【００３４】
また、内側に折り込まれた前記板１の一部により前記鏡餅容器Ａのフランジ部Ｂを固定する固定部９，10が形成されたため、鏡餅容器Ａをしっかりと固定することができ、設定によっては、逆さにした場合においても鏡餅容器Ａが落下することを防止することができる。
【００３５】
また、前記後方壁部４に壁掛け用の穴13が形成されたため、壁掛け用の穴13に釘状体を通すことにより壁に掛けることができる。
【００３６】
また、壁掛けされた際に前記後方壁部４を壁に押し付けるための押し付け部14を備え、前記押し付け部14は蛇腹状の構造を有するとともに、前記押し付け部14の端部である前端14ａは壁掛け用の釘状体の頭部Ｃに当接するように形成されたため、後方壁部４が壁に押し付けられることによって、壁に掛けた際に前方に傾くことを防止することができる。
【実施例２】
【００３７】
図５に基づき実施例２について説明するが、上記実施例１と同様の部分には同じ符号を付し、その詳細な説明を省略する。
【００３８】
本実施例では、後方壁部４の上方に突出した半円状部分17が設けられ、半円状部分17に扇を装った印刷がなされている。そして、壁掛け用の穴や、後方壁部４を壁に押し付けるための押し付け部14は形成されていない。
【００３９】
本実施例によれば、実際に扇を取り付けなくとも扇が取り付けられたようにすることができ、美観を向上させることができる。
【実施例３】
【００４０】
図６に基づき実施例３について説明するが、上記実施例１と同様の部分には同じ符号を付し、その詳細な説明を省略する。
【００４１】
本実施例では、後方壁部４の上方に、後方壁部４を補強するための補強部18が設けられている。補強部18は板１の一部からなり、後方壁部４の上端４ａは、板１の補強部18の部位を前方に折り曲げることにより形成されている。また、後方壁部４と補強部18は接着されている。
【００４２】
このように、補強部18により壁掛け用の穴13の上部が補強され、壁掛けした際の壁掛け用の穴13の破損を防止することができる。また、補強部18により後方壁部４の上部が補強され、壁掛けした際の後方壁部４のたわみを防止することができる。
【実施例４】
【００４３】
図７，８に基づき実施例４について説明するが、上記実施例１と同様の部分には同じ符号を付し、その詳細な説明を省略する。
【００４４】
本実施例では、側方壁部５，６の上端５ａ，６ａは、一部分において前方壁部３の上端３ａから後方に向けて斜めにせり上がっているが、後方においては、水平になっており、後方壁部４の中ほどに接続している。折線51，52は、実施例１と同様に、載置部２のなす平面に対して略４５度の角度を有している。
【００４５】
載置部２の後端２ａ近傍には、左右方向に板１を内側に折り込む際に必要な折線70が設けられている。また、側方壁部５，６の略中央には、上下方向の折線71，72が形成されている。また、載置部２の後端２ａは、後方壁部４とは間隔を空けて配置されている。
【００４６】
後方壁部４の左端には、折線63を介して接着部16が連設されており、接着部16は左の側方壁部５の後端と接着されている。また、後方壁部４の右端は折線62を介して右の側方壁部６の後端と連設している。
【００４７】
つぎに、本実施例の鏡餅用載置台の組み立て方法について説明する。
【００４８】
折線71，72を外側に引いて山折にしながら、山折になっている折線53，54を同時に内側に押し込んで谷折にする。このとき、載置部２の後端２ａが後方壁部４に当接するが、折線70が一時的に谷折になることで、載置部２は水平位置までスムーズに移動する。このように、本実施例では１回のステップのみで簡単に組み立てることができる。
【実施例５】
【００４９】
図９に基づき実施例５について説明するが、上記実施例４と同様の部分には同じ符号を付し、その詳細な説明を省略する。
【００５０】
本実施例では、載置部２の後端２ａは、後方壁部４とは間隔を空けずに配置されている。そして、載置部２の後端２ａには、凸部11が形成されており、凸部11は、後方壁部４の下方に形成された差し込み穴12に挿通されている。
【００５１】
このように、凸部11を差し込み穴12に挿入することにより、載置部２をしっかりと固定することができる。
【実施例６】
【００５２】
図１０，１１に基づき実施例６について説明するが、上記実施例１と同様の部分には同じ符号を付し、その詳細な説明を省略する。
【００５３】
本実施例では、載置部２に折線は形成されておらず、その代わりに折り込み部７，８にそれぞれ折線73，74が形成されている。折線73，74は、それぞれ折り込み部７，８の略中央を通って前方から後方に向かって形成されている。すなわち、折線73は折線51と折線53の略中間を通って折り込み部７の領域を略二等分する位置に、折線74は折線52と折線54の略中間を通って折り込み部８の領域を略二等分する位置に形成されている。
【００５４】
また、後方壁部４の上方には、後方壁部４を補強するための補強部18が設けられている。補強部18は板１の一部からなり、後方壁部４の上端４ａは、板１の補強部18の部位を前方に折り曲げることにより形成されている。また、後方壁部４と補強部18は接着されている。
【００５５】
つぎに、本実施例の鏡餅用載置台の組み立て方法について説明する。
【００５６】
折線73，74を外側に引いて山折にし、折線51，52を谷折にしながら、載置部２を内側に押し込む。このとき、折線53，54は山折から谷折になり、続いて折線51，52が谷折から山折になる。そのまま載置部２を内側に押し込むと、折線73，74の折り目がなくなり、載置部２が水平位置まで移動する。以上の１回の動作により、載置部２が水平になる。そして、凸部11を差し込み穴12に挿入することにより、載置部２をしっかりと固定することができる。このように、本実施例では、２回のステップのみで簡単に組み立てることができる。
【００５７】
なお、本発明は上記各実施例に限定されるものではなく、種々の変形実施が可能である。例えば、上記実施例では鏡餅用載置台を形成する板は段ボールであったが、コートボールなどの厚紙、プラスチック製の板などであってもよい。また、上記実施例では、板を折り曲げて鏡餅用載置台を形成したが、プラスチックなどで一体成型してもよい。また、本発明の鏡餅用載置台に鏡餅容器を載置したものを、ガゼット袋、クリアカートンなどの包材に入れたり、シュリンクフィルムなどで覆ったり、帯状のフィルムや紙などで巻いてもよい。
【符号の説明】
【００５８】
１  板
２  載置部
３  前方壁部
３ａ  上端
３ｂ  下端
４  後方壁部
４ａ  上端
５，６  側方壁部
５ａ，６ａ  上端
７，８  折り込み部
９，10  固定部
13  穴
14  押し付け部
14ａ  前端（端部）
17  半円状部分
53，54  折線
Ａ  鏡餅容器
Ｂ  フランジ部
Ｃ  釘状体の頭部
【図１】
0005482508.tif 000002
【図２】
0005482508.tif 000003
【図３】
0005482508.tif 000004
【図４】
0005482508.tif 000005
【図５】
0005482508.tif 000006
【図６】
0005482508.tif 000007
【図７】
0005482508.tif 000008
【図８】
0005482508.tif 000009
【図９】
0005482508.tif 000010
【図１０】
0005482508.tif 000011
【図１１】
0005482508.tif 000012